(57)【要約】  【課題】  電流センサーに貫通させるバスバーを予め分割し、バスバーの取りまわしの自由度を向上させると共に、バスバー形状を簡単にする。  【解決手段】  ケース１０内部に収容される同一回路の縦バスバー２０を分割して形成し、これら複数の分割バスバー２１、２２は少なくとも電源側と接続される入力端子部２１ｃ、２２ｃからケース１０内部に配置される電流センサー３０のバスバー貫通孔３１を通した位置までバスバー同士が重ねられて見かけ上は１枚のバスバーとされ、電流センサー３０で分割バスバー２１、２２の合計電流量が検出されると共に、電流センサー３０通過後は互いに分離させて所要の方向へと配置している。  【選択図】  図２
2005237153.tif 000002
【特許請求の範囲】
【請求項１】
ケース内部に収容される同一回路のバスバーを分割して形成し、これら複数のバスバーは少なくとも前記ケース内部に配置される電流センサーのバスバー貫通孔を通した位置でバスバー同士が重ねられ、前記電流センサーで前記分割されたバスバーの合計電流量が検出されると共に、前記電流センサー通過後は互いに分離させて所要の方向へと配置していることを特徴とする電気接続箱。
【請求項２】
前記分割された複数のバスバーにはタブが形成されると共に、これらのタブがコネクタ、ヒューズあるいは／およびリレーの端子と嵌合され、該嵌合される相手方端子の厚さに対応した厚さに前記タブおよび該タブを突設したバスバーの厚さが設定されている請求項１に記載の電気接続箱。
【発明の詳細な説明】
【技術分野】
【０００１】
本発明は、電気接続箱に関し、詳しくは、電気接続箱内の電流センサーに貫通させるバスバーの取りまわしの自由度を向上させるものである。
【背景技術】
【０００２】
従来、電気接続箱内のバスバーの電流量を検出するため、図４に示すように、電気接続箱内に電流センサー１を搭載し、該電流センサー１のバスバー貫通孔１ａにバスバー２を通している。電流センサー１のバスバー貫通孔１ａに通したバスバー２は接続するコネクタやリレー等の部品３が搭載される位置まで延在させ、バスバーに設けたタブ２ａをコネクタやリレーの端子と接続している。しかし、バスバー貫通孔１ａには１枚のバスバー２を通しているため、バスバー２の取りまわしに自由度がなく、バスバー２と接続する部品３の配置位置によっては、図４に示すように、バスバー形状が複雑になったり、スペースをとって電気接続箱が大型化する問題がある。また、異なる部品３Ａ、３Ｂに同一のバスバー２を接続しているため、部品３Ａ、３Ｂの端子を共にバスバー２の厚さに対応させるか、もしくは、タブ２ａと部品側の端子との間に中継端子を介在させる必要がある。
【０００３】
また、特開２００２−２５７８６６号において、図５に示すように、バスバー５を電流センサー４の上流側で分岐し、所定の幅・厚さの分岐バスバー５ａを電流センサー４のバスバー貫通孔４ａに通す一方、所要の幅・厚さの分岐バスバー５ｂを電流センサー４に通さずに設け、分岐バスバー５ａの電流量からバスバー５全体の電流量を検出する構造が提供されている。
【０００４】
前記構造であると、バスバー５が分岐されているため、バスバー５の取りまわしの自由度が向上し、バスバー５の形状を簡単にできるが、分岐バスバー５ｂを電流センサー４外に通しているため、分岐バスバー５ｂを通すためのスペースを設ける必要があり、電気接続箱が大型化する問題がある。また、検出された分岐バスバー５ａからバスバー５全体の電流量を算出しなければならない。なお、特開２００２−２５７８６６号で提供されている構造では、バスバー５を水平配置しているため水平方向に分岐できるが、バスバーを垂直配置した場合には、水平方向に分岐することができず、垂直配置するバスバーには前記構造を採用することができない。
【特許文献１】特開２００２−２５７８６６号公報
【発明の開示】
【発明が解決しようとする課題】
【０００５】
本発明は前記問題に鑑みてなされたものであり、電流センサーに貫通させるバスバーを予め分割し、バスバーの取りまわしの自由度を向上させると共に、バスバー形状を簡単にすることを課題としている。
【課題を解決するための手段】
【０００６】
前記課題を解決するため、本発明は、ケース内部に収容される同一回路のバスバーを分割して形成し、これら複数のバスバーは少なくとも前記ケース内部に配置される電流センサーのバスバー貫通孔を通した位置でバスバー同士が重ねられ、前記電流センサーで前記分割されたバスバーの合計電流量が検出されると共に、前記電流センサー通過後は互いに分離させて所要の方向へと配置していることを特徴とする電気接続箱を提供している。
【０００７】
前記構成とすると、電流センサーに貫通させるバスバーを複数に分割しているため、これら複数のバスバーを重ねた状態で電流センサーのバスバー貫通孔に通し、下流側においてバスバーをそれぞれ異なる方向に屈折させてやれば簡単にバスバーを所要の方向へ分岐させることができる。これにより、バスバーの取りまわしの自由度が向上し、バスバーの形状を簡単にできると共に、無駄なスペースをなくして電気接続箱を小型化することができる。また、バスバーは複数に分割しているが、これらを全て重ねた状態で電流センサーのバスバー貫通孔に通してやればバスバー全体の電流量を検知することができる。
【０００８】
前記分割された複数のバスバーにはタブが形成されると共に、これらのタブがコネクタ、ヒューズあるいは／およびリレーの端子と嵌合され、該嵌合される相手方端子の厚さに対応した厚さに前記タブおよび該タブを突設したバスバーの厚さが設定されていることが好ましい。
【０００９】
前記構成とすると、バスバーのタブを嵌合される相手方端子の厚さに対応させた厚さとしているため、バスバーのタブと相手方端子との間に中継端子を介在させたり、タブの板厚を変える構造を設けたりすることなく、異なる厚さの相手方端子にタブを接続することができる。これにより、部品点数を増加させず、接続作業も容易にすることができる。
【発明の効果】
【００１０】
以上の説明より明らかなように、本発明によれば、電流センサーに貫通させるバスバーを分割し、これら複数のバスバーを重ねた状態で電流センサーのバスバー貫通孔に通しているため、下流側においてバスバーをそれぞれ異なる方向に屈折させて簡単にバスバーを所要方向へ分岐させることができる。これにより、バスバーの取りまわしの自由度が向上し、バスバー形状を簡単にできると共に、バスバーの配置による無駄なスペースをなくして電気接続箱を小型化できる。
【００１１】
また、前記分割された複数のバスバーを接続される相手方端子の厚さにそれぞれ対応した厚さに設定しておけば、バスバーのタブと相手方端子との間に中継端子を介在させたり、タブの板厚を変える構造を設けたりする必要がなく、部品点数の増加を防止でき、接続作業も容易にすることができる。
【発明を実施するための最良の形態】
【００１２】
本発明の実施形態を図面を参照して説明する。
図１乃至図３は、本発明の実施形態を示し、電気接続箱１００は縦バスバー２５から突出する入力端子部２５ａをバッテリー端子を介してバッテリーポストに接続している。
【００１３】
電気接続箱１００のケース１０内に収容する同一回路の縦バスバー２０は、図２に示すように、２つの分割バスバー２１、２２からなり、重ねた状態で見かけ上は１枚のバスバーとして、電流センサー３０のバスバー貫通孔３１に通している。これにより電流センサー３０で分割バスバー２１、２２に流れる電流量を検出している。分割バスバー２１、２２は電流センサー３０の下流側でそれぞれ反対方向へ屈折して分離し、さらに下流側にタブ２１ａ、２２ａを突設している。タブ２１ａは分割バスバー２１の下端縁から下方に向けて突出し、ケース１０に収容するコネクタ（図示せず）の相手方端子と接続される。一方、タブ２２ａは分割バスバー２２の上端縁から上方に向けて突出し、ケース１０に収容するヒューズ４０の相手方端子と接続される。分割バスバー２１、２２及びタブ２１ａ、２２ａは嵌合される相手方端子の厚さに対応させており、本実施形態では、分割バスバー２１及びタブ２１ａの厚さを１．２ｍｍ、分割バスバー２２及びタブ２２ａの厚さを０．８ｍｍとしている。
【００１４】
また、分割バスバー２１、２２は上流側端部にボルト孔２１ｂ、２２ｂを穿設した入力端子部２１ｃ、２２ｃを設け、分割バスバー２１、２２を重ねた状態でボルト孔２１ｂ、２２ｂが連通されている。分割バスバー２１、２２の電流センサー３０の上流側近傍には所要の屈曲部２１ｄ、２２ｄを設け、該屈曲部２２ｄを電流センサー３０のバスバー貫通孔３１周縁に係止して分割バスバー２１、２２を位置決めしている。
【００１５】
前記分割バスバー２１、２２と電流センサー３０は、図１（Ａ）に示すように、ケース１０の下面側のバスバー収容部１１と該バスバー収容部１１と連続する電流センサー収容部１２にそれぞれ収容される。分割バスバー２１のタブ２１ａは下面側のコネクタ収容部１３内に突出され、コネクタの相手方端子と接続される一方、分割バスバー２２のタブ２２ａは端子孔（図示せず）を通して上面側のヒューズ収容部１４に突出され、ヒューズ４０の相手方端子と接続される。
【００１６】
ケース１０の前面側に設けたバスバー収容部１５には、バッテリー端子と接続する縦バスバー２５を収容しており、該縦バスバー２５の出力端子部２５ｂはケース１０の上面側のヒュージブルリンク収容部１６に収容したヒュージブルリンク４１を介して分岐バスバー２１、２２の入力端子部２１ｃ、２２ｃと接続している。即ち、縦バスバー２５の出力端子部２５ｂとヒュージブルリンク４１の入力端子部（図示せず）をボルト締めする一方、分割バスバー２１、２２の入力端子部２１ｃ、２２ｃを、図３に上下反対方向で示すように、ヒュージブルリンク４１の出力端子部４１ａと重ねて端子孔を連通させボルト締めにより接続している。
【００１７】
また、バスバー収容部１５の側壁一端には、ヒンジ部１７を介してカバー１８を設けており、バスバー収容部１５に縦バスバー２５を収容してボルト締め固定した後、カバー１８をバスバー収容部１５側に回動させて、カバー１８の先端に設けたロック爪１８ａを対向位置に設けた被ロック爪１９に係止させて、該カバー１８により縦バスバー２５をカバーしている。
【００１８】
前記構成とすると、電流センサー３０に貫通させる縦バスバー２０を分割し、これら複数の分割バスバー２１、２２を重ねた状態で電流センサー３０のバスバー貫通孔３１に通しているため、下流側において分割バスバー２１、２２をそれぞれ異なる方向に屈折でき、簡単に縦バスバー２０を所要方向へ分岐させることができる。これにより、縦バスバー２０の取りまわしの自由度が向上し、バスバー形状を簡単にできると共に、バスバーの配置による無駄なスペースをなくして電気接続箱を小型化できる。
【００１９】
また、前記分割された複数の分割バスバー２１、２２及び該バスバー２１、２２から突設したタブ２１ａ、２２ａを接続される相手方端子の厚さにそれぞれ対応した厚さに設定しているため、タブ２１ａ、２２ａと相手方端子との間に中継端子を介在させたり、タブの板厚を変える構造を設けたりする必要がなく、部品点数の増加を防止でき、接続作業も容易にすることができる。
なお、分割されたバスバーは２枚に限らず、３枚以上を重ねて電流センサーに通してもよい。
【産業上の利用可能性】
【００２０】
本発明の電気接続箱は、自動車のバッテリーに接続するものとして好適に用いられるものである。
【図面の簡単な説明】
【００２１】
【図１】本発明の実施形態の電気接続箱を示し、（Ａ）は底面図、（Ｂ）は平面図である。
【図２】電流センサーに分割バスバーを通した状態を示す図面である。
【図３】電気接続箱の断面図である。
【図４】従来例を示す図面である。
【図５】他の従来例を示す図面である。
【符号の説明】
【００２２】
１０  電気接続箱
２０  縦バスバー
２１、２２  分割バスバー
２１ａ、２２ａ  タブ
３０  電流センサー
３１  バスバー貫通孔
【図１】
2005237153.tif 000003
【図２】
2005237153.tif 000004
【図３】
2005237153.tif 000005
【図４】
2005237153.tif 000006
【図５】
2005237153.tif 000007